(57)【要約】【課題】アース線と電源電線との挿入する順番を規制し、誤配線を防止することができる端子台カバーを提供する。【解決手段】アース線を挿入する端子台側アース線挿入孔８０と電源電線を挿入する端子台側電線挿入孔７０とが形成された端子台上面部６１を有する端子台６０と、端子台上面部６１と対向しながらスライドする端子台カバー１０とを備え、端子台カバー１０は、初期位置にある場合に端子台側アース線挿入孔８０と一部が重なるカバー側アース線挿入孔３０と、初期位置にある場合に端子台側電線挿入孔７０と重ならない孔であるカバー側第２挿入孔２０とが形成され、アース線１１０がカバー側アース線挿入孔３０と端子台側アース線挿入孔８０とが重なる部分に挿入されると、端子台カバー１０がスライドし、アース線１１０が速結端子に接続されるとスライドを完了して、カバー側第２挿入孔２０と端子台側電線挿入孔７０との少なくとも一部が重なる。【選択図】図５
2014130791.tif 000002
【特許請求の範囲】
【請求項１】
第１の電線を挿入する端子台側第１挿入孔と第２の電線を挿入する端子台側第２挿入孔とが形成された孔形成面を有し、前記端子台側第１挿入孔に挿入された前記第１の電線を接続する前記端子台側第１挿入孔の下方に配置された端子を内部に収納する端子台と、
前記端子台の前記孔形成面と対向しながらスライドする端子台カバーと、
前記端子台カバーを所定の位置に位置決めする位置決め部と
を備え、
前記端子台カバーは、
前記位置決め部により位置決めされた前記所定の位置にある場合に前記端子台側第１挿入孔と一部が重なる孔であるカバー側第１挿入孔と、前記所定の位置にある場合に前記端子台側第２挿入孔と重ならない孔であるカバー側第２挿入孔とが形成され、
前記端子台カバーは、
前記所定の位置において前記第１の電線が前記カバー側第１挿入孔と前記端子台側第１挿入孔とが重なる部分に挿入されると、前記第１の電線の挿入にともなって前記孔形成面と対向しながらスライドし、挿入された前記第１の電線が前記端子に接続されるとスライドを完了して、前記カバー側第２挿入孔の少なくとも一部が前記端子台側第２挿入孔の少なくとも一部と重なる
ことを特徴とする端子台装置。
【請求項２】
前記端子台は、
前記端子台カバーがスライドを完了した後に、前記カバー側第２挿入孔と前記端子台側第２挿入孔とが重なる部分から前記第２の電線が挿入されることを特徴とする請求項１に記載の端子台装置。
【請求項３】
前記端子台カバーは、
前記カバー側第１挿入孔の周縁のうち、前記所定の位置にある場合に前記端子台側第１挿入孔と重なる部分の周縁に、前記第１の電線の先端の挿入方向を案内する傾斜部を備えることを特徴とする請求項１または２に記載の端子台装置。
【請求項４】
前記端子台は、
前記端子台カバーと係合する端子台側係合部を備え、
前記端子台カバーは、
前記端子台側係合部と係合することでスライドするカバー側係合部を備えることを特徴とする請求項１〜３のいずれかに記載の端子台装置。
【請求項５】
第１の電線を挿入する端子台側第１挿入孔と第２の電線を挿入する端子台側第２挿入孔とが形成された孔形成面を有し、前記端子台側第１挿入孔に挿入された前記第１の電線を接続する前記端子台側第１挿入孔の下方に配置された端子を内部に収納する端子台の前記孔形成面を覆う端子台カバーであって、
前記孔形成面と対向しながらスライドするように前記端子台と係合されるカバー側係合部と、
前記端子台カバーを所定の位置に位置決めする位置決め部と
を備え、
前記端子台カバーは、
前記位置決め部により位置決めされた前記所定の位置にある場合に前記端子台側第１挿入孔と一部が重なる孔であるカバー側第１挿入孔と、前記所定の位置にある場合に前記端子台側第２挿入孔と重ならない孔であるカバー側第２挿入孔とが形成され、
前記端子台カバーは、
前記所定の位置において前記第１の電線が前記カバー側第１挿入孔と前記端子台側第１挿入孔とが重なる部分に挿入されると、前記第１の電線の挿入にともなって前記孔形成面と対向しながらスライドし、挿入された前記第１の電線が前記端子に接続されるとスライドを完了して、前記カバー側第２挿入孔の少なくとも一部が前記端子台側第２挿入孔の少なくとも一部と重なることを特徴とする端子台カバー。
【請求項６】
前記第１の電線が前記端子に接続され、スライドを完了した後に、前記カバー側第２挿入孔が前記端子台側第２挿入孔と重なる部分から前記第２の電線が挿入されることを特徴とする請求項５に記載の端子台カバー。
【請求項７】
前記カバー側第１挿入孔の周縁のうち、前記所定の位置にある場合に前記端子台側第１挿入孔と重なる部分の周縁に、前記第１の電線の先端の挿入方向を案内する傾斜部を備えることを特徴とする請求項５または６に記載の端子台カバー。
【請求項８】
前記カバー側係合部は、
前記端子台が備える端子台側係合部と係合することでスライドすることを特徴とする請求項５〜７のいずれかに記載の端子台カバー。
【請求項９】
前記端子台カバーは、
前記孔形成面と対向するカバー面であって、前記カバー側第１挿入孔と前記カバー側第２挿入孔とが形成されたカバー面と、
前記カバー面が前記孔形成面に対向しながらスライドするように支持する支持具と
を備えることを特徴とする請求項５〜７のいずれかに記載の端子台カバー。
【請求項１０】
第１の電線を挿入する端子台側第１挿入孔と第２の電線を挿入する端子台側第２挿入孔とが形成された孔形成面を有する端子台と、
前記端子台の前記孔形成面と対向しながらスライドする端子台カバーと、
を備え、
前記端子台カバーは、
所定の位置にある場合に前記端子台側第１挿入孔と一部が重なる孔であるカバー側第１挿入孔と、前記所定の位置にある場合に前記端子台側第２挿入孔と重ならない孔であるカバー側第２挿入孔とが形成され、前記カバー側第１挿入孔の周縁のうち、前記所定の位置にある場合に前記端子台側第１挿入孔と重なる部分の周縁に、前記第１の電線の先端部分の挿入を案内する傾斜面を有するカバー傾斜部を備え、
前記端子台カバーは、
前記第１の電線の先端部分により前記カバー傾斜部の前記傾斜面が押圧され、前記カバー傾斜部の前記傾斜面が押圧されることで前記カバー傾斜部が移動する所定の方向にスライドし、
前記カバー側第１挿入孔と前記端子台側第１挿入孔とは、重なる部分が前記端子台カバーの前記所定の方向へのスライドにより拡がり、
前記端子台側第１挿入孔は、前記第１の電線の先端部分が前記カバー側第１挿入孔を介して挿入される
ことを特徴とする端子台装置。
【請求項１１】
前記端子台は、
前記端子台側第１挿入孔の下方に配置され、前記端子台側第１挿入孔に挿入された前記第１の電線の先端部分を接続する端子を内部に収納し、
前記端子台カバーは、
前記カバー側第１挿入孔を介して前記端子台側第１挿入孔に挿入された前記第１の電線の先端部分が前記端子に接続されると、前記カバー側第２挿入孔の少なくとも一部が前記端子台側第２挿入孔の少なくとも一部と重なる
ことを特徴とする請求項１０に記載の端子台装置。
【請求項１２】
前記端子台は、
前記孔形成面と、前記孔形成面の前記所定の方向の両側の側面とを備え、前記両側の側面のそれぞれに前記端子台カバーをスライドさせるスライド溝を備え、
前記端子台カバーは、
前記孔形成面と対向するカバー部と、前記カバー部の前記所定の方向の両側に設けられたカバー側面とを有し、
前記カバー側面は、弾性体により形成される
ことを特徴とする請求項１０または１１に記載の端子台装置。
【請求項１３】
前記スライド溝は、溝底部に溝の外側方向に突起した突起部を備え、
前記カバー側面は、
前記スライド溝と係合し、先端部が前記溝底部と対向しながら前記スライド溝をスライドするスライド突出片と、前記スライド突出片の前記先端部の一部が前記溝の外側方向に切り欠かれた切欠部とを備え、
前記端子台カバーは、
前記所定の位置にある場合に、前記切欠部に前記突起が係合することを特徴とする請求項１２に記載の端子台装置。
【請求項１４】
前記切欠部の縁部は、前記端子台カバーが前記所定の位置にある場合の前記突起の位置から前記端子台カバーのスライド方向である前記所定の方向の反対方向に向かって徐々に前記溝の外側方向への切り欠きの深さが浅くなる縁傾斜部を有し、
前記端子台カバーは、
前記カバー側第１挿入孔への前記第１の電線の挿入にともなって前記所定の位置から前記所定の方向へスライドが開始されると、前記縁傾斜部が前記所定の方向へスライドにともなって前記突起部が前記縁傾斜部を前記溝の外側方向に押圧し、前記カバー側面が徐々に前記溝の外側方向に弾性変形し、
前記端子台カバーは、
前記カバー側第１挿入孔から前記第１の電線が抜かれると、前記カバー側面の弾性変形による復元力で前記縁傾斜部が前記突起部を前記スライド溝の内側方向に押圧することにより、前記所定の方向とは反対の方向にスライドし、前記所定の位置に戻る
ことを特徴する請求項１３記載の端子台装置。
【発明の詳細な説明】
【技術分野】
【０００１】
本発明は、例えば、電源電線やアース線を接続する端子台に装着される端子台カバー及び端子台カバーを装着した端子台である端子台装置に関するものである。
【背景技術】
【０００２】
従来、端子台等の誤配線防止を目的とする部品として、同極の端子を同時に塞ぐために、あるいは使用しない電線挿入孔を塞ぐために、電線挿入孔に挿入して使用する部品がある（例えば、特許文献１参照）。
【先行技術文献】
【特許文献】
【０００３】
【特許文献１】特許第４９１２７２７号公報
【発明の概要】
【発明が解決しようとする課題】
【０００４】
先行技術では、電線を挿入する際に電線挿入孔を塞いでいる部品を取り除いてから使用する構造であるため、例えば、アース線と電源電線との挿入する順番を規制できず、アース線の接続忘れの防止が確実に行えず、アース線の接続忘れが発生するという課題がある。
【０００５】
本発明は、アース線と電源電線との挿入する順番を規制し、アース線の接続忘れを防止し、確実にアース線を接続することができる端子台装置及び端子台カバーを提供することを目的とする。
【課題を解決するための手段】
【０００６】
本発明に係る端子台装置は、第１の電線を挿入する端子台側第１挿入孔と第２の電線を挿入する端子台側第２挿入孔とが形成された孔形成面を有し、前記端子台側第１挿入孔に挿入された前記第１の電線を接続する前記端子台側第１挿入孔の下方に配置された端子を内部に収納する端子台と、前記端子台の前記孔形成面と対向しながらスライドする端子台カバーと、前記端子台カバーを所定の位置に位置決めする位置決め部とを備え、前記端子台カバーは、前記位置決め部により位置決めされた前記所定の位置にある場合に前記端子台側第１挿入孔と一部が重なる孔であるカバー側第１挿入孔と、前記所定の位置にある場合に前記端子台側第２挿入孔と重ならない孔であるカバー側第２挿入孔とが形成され、前記端子台カバーは、前記所定の位置において前記第１の電線が前記カバー側第１挿入孔と前記端子台側第１挿入孔とが重なる部分に挿入されると、前記第１の電線の挿入にともなって前記孔形成面と対向しながらスライドし、挿入された前記第１の電線が前記端子に接続されるとスライドを完了して、前記カバー側第２挿入孔の少なくとも一部が前記端子台側第２挿入孔の少なくとも一部と重なることを特徴とする。
【発明の効果】
【０００７】
本発明に係る端子台装置によれば、アース線を端子台に挿入することで端子台カバーが移動し、端子台カバーのカバー側第１挿入孔と端子台の端子台側第１挿入孔とが重なるので、第１の電線と第２の電線との挿入する順番を規制し、確実にアース線の接続忘れを防止することができるという効果を奏する。
【図面の簡単な説明】
【０００８】
【図１】実施の形態１に係る端子台カバー１０の斜視図である。
【図２】実施の形態１に係る端子台６０の斜視図である。
【図３】実施の形態１に係る端子台カバー１０を端子台６０に装着した端子台装置２００であり、端子台カバー１０が初期位置にある場合の端子台装置２００の斜視図である。
【図４】実施の形態１に係る端子台装置２００の初期状態を上方から見た図の模式図である。
【図５】実施の形態１に係る端子台装置２００にアース線１１０を挿入する前段階のＡ−Ａ断面図である。
【図６】実施の形態１に係る端子台装置２００にアース線１１０を挿入した直後から挿入中のＡ−Ａ断面図である。
【図７】実施の形態１に係る端子台装置２００にアース線１１０を挿入完了直前のＢ−Ｂ断面図である。
【図８】実施の形態１に係る端子台装置２００にアース線１１０を挿入完了した状態の図であり、（ａ）はＢ−Ｂ断面図、（ｂ）は斜視図である。
【図９】端子台装置２００にアース線１１０と２本の電源電線１２０とが接続完了した状態の端子台カバー１０と端子台上面部６１との位置関係を示した模式図である。
【図１０】実施の形態２に係る端子台カバー１３０の斜視図である。
【図１１】実施の形態２に係る端子台カバー１３０の分解斜視図である。
【図１２】実施の形態２に係る端子台カバー１３０を端子台６０に取り付けた状態を示した図である。
【図１３】実施の形態２に係る端子台装置２０１の斜視図であり、（ａ）はアース線１１０の挿入途中を示す図、（ｂ）はアース線１１０の挿入が完了する直前を示す図、（ｃ）はアース線１１０及び電源電線１２０が挿入完了した図である。
【図１４】実施の形態３に係る電源端子台カバー３００の斜視図である。
【図１５】図１４の電源端子台カバー３００を裏側から見たときの正視図である。
【図１６】実施の形態３に係る電源端子台４００の斜視図である。
【図１７】図１６の電源端子台４００のＡ−Ａ断面を示す断面図である。
【図１８】図１６の電源端子台４００に図１４の電源端子台カバー３００を装着した状態を示す斜視図である。
【図１９】アース線取り付け前とアース線取り付け後の電源端子台４００と電源端子台カバー３００との取り付け状態を示す模式図であり、（ａ）はアース線取り付け前の状態、（ｂ）はアース線取り付け後の状態を示す図である。
【発明を実施するための形態】
【０００９】
以下の実施の形態について、図を用いて説明する。なお、各実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１０】
実施の形態１．
図１は、本実施の形態に係る端子台カバー１０の斜視図である。図２は、本実施の形態に係る端子台６０の斜視図である。図３は、本実施の形態に係る端子台カバー１０を端子台６０に装着した端子台装置２００であり、端子台カバー１０が端子台６０に対して初期位置にある場合の端子台装置２００の斜視図である。図４は、図３の端子台装置２００を上方から見た図の模式図である。
【００１１】
図１〜図４を用いて、本実施の形態に係る端子台カバー１０、端子台６０、端子台装置２００の構成について説明する。
【００１２】
端子台カバー１０は、樹脂製である。端子台カバー１０は、上面部１１と、一対の側面部１２とを備える断面略コ字状である。
上面部１１は、略長方形状であり、短手方向の両側の側部から下方に上面部に対して略垂直に形成された一対の側面部１２を有する。
一対の側面部１２の下端部の内面には、内側に突き出した一対の突起部１３が形成されている。
【００１３】
上面部１１には、カバー側電線挿入孔２０（カバー側第２挿入孔）、カバー側解除孔４０、カバー側アース線挿入孔３０（カバー側第２挿入孔）が形成されている。
カバー側電線挿入孔２０は、電源電線１２０（第２の電線）（図７参照）が挿入される孔である。カバー側アース線挿入孔３０は、アース線１１０（第１の電線）（図３参照）が挿入される孔である。カバー側解除孔４０は、両側のカバー側電線挿入孔２０に挿入され、端子台６０内部の速結端子に接続されている電源電線１２０を速結端子から解除するための端子台側解除孔９０（図２参照）に連通する孔である。
【００１４】
図２に示すように、端子台６０は、複数の面を有する略直方体形状である。端子台上面部６１（孔形成面）には、端子台側電線挿入孔７０、端子台側アース線挿入孔８０、端子台側解除孔９０が形成されている。
【００１５】
端子台側電線挿入孔７０（端子台側第２挿入孔）は、電源電線１２０を挿入する孔である。端子台６０には、挿入された電源電線１２０を接続する速結端子が、内部の端子台側電線挿入孔７０の下方に配置されている。挿入された電源電線１２０は、端子台側電線挿入孔７０の下方の速結端子に接続される。
【００１６】
端子台側アース線挿入孔８０（端子台側第１挿入孔）は、アース線１１０を挿入する孔である。端子台６０には、挿入されたアース線１１０を接続する速結端子（端子の一例）が内部の端子台側アース線挿入孔８０の下方に配置されている。挿入されたアース線１１０は、端子台側アース線挿入孔８０の下方の速結端子に接続される。
【００１７】
端子台側解除孔９０は、両側の端子台側電線挿入孔７０に挿入され、速結端子に接続されている電源電線１２０を、速結端子から解除するための解除孔である。
【００１８】
図２に示すように、端子台上面部６１の形状は、長方形の一部分（点線のＲ１部分）が切り取られた形状であるが、Ｒ１部分が切り取られていない形状でも構わない。また、長方形に限られず、正方形でもよい。
【００１９】
端子台６０は、端子台上面部６１の短手方向の両側に一対の端子台側面部６２を有する。端子台側面部６２の上部には、長手方向に延びて形成された溝（ガイド用溝部６３（端子台側係合部））を備える。一対のガイド用溝部６３は、端子台カバー１０が端子台６０に取り付けられる際に、端子台カバー１０の一対の突起部１３（カバー側係合部）に対応する位置に形成されている。
【００２０】
端子台６０は、端子台カバー１０の一対の突起部１３（カバー側係合部）と係合する一対のガイド用溝部６３（端子台側係合部）を備える。
端子台カバー１０は、端子台カバー１０の一対の突起部１３が端子台６０の一対のガイド用溝部６３と係合することで、端子台上面部６１と対向（当接あるいは近接）しながら長手方向にスライドするように端子台６０に取り付けられる。
端子台カバー１０は、一対の突起部１３が一対のガイド用溝部６３と係合することで、端子台上面部６１と対向（当接あるいは近接）しながらＴ１−Ｔ２方向（長手方向）にスライド可能に端子台６０に取り付けられる。
【００２１】
図３は、端子台カバー１０を端子台６０に装着した端子台装置２００の斜視図である。図３に示すように、端子台カバー１０は、両側の突起部１３を端子台６０の両側のガイド用溝部６３に嵌め込む（引っ掛ける）ことで、端子台６０に取り付けられる。
端子台カバー１０は、ガイド用溝部６３に沿って、アース線挿入方向に対して垂直な方向（Ｔ１−Ｔ２方向）にスライド（移動）することができる。
【００２２】
端子台６０には、端子台カバー１０を初期位置（所定の位置）に係止するための位置決め部を備える。例えば、作業者が端子台カバー１０の長手方向端部１０ａを初期位置に合わせるための目印を端子台上面部６１に付与してもよい。
あるいは、位置決め部として、端子台上面部６１に、端子台カバー１０の長手方向Ｔ１側の端部１０ａが軽くぶつかる程度の凸部（でっぱり）を設けてもよい。この凸部は、長手方向端部１０ａが軽くぶつかる程度であり、かつ、長手方向端部１０ａが簡単に乗り越えられる程度の凸部であることが好ましい。
【００２３】
その他、位置決め部は、端子台カバー１０の初期位置を合わせることができればどのような方式で実現しても構わない。また、位置決め部は無くても構わない。位置決め部がない場合の作業者による初期位置の決め方については後述する。
【００２４】
図３の端子台装置２００は、アース線１１０及び電源電線１２０を挿入する作業を行う前の段階、すなわち初期位置に端子台カバー１０が配置されている状態である。この状態を、端子台装置２００の初期状態とも呼ぶ。
【００２５】
図３の状態では、端子台カバー１０のカバー側アース線挿入孔３０と端子台６０の端子台側アース線挿入孔８０は一部が重なった状態である。しかし、端子台カバー１０のカバー側電線挿入孔２０と端子台６０の端子台側電線挿入孔７０は重なっていない状態である。
端子台装置２００の初期状態がこのような状態であることにより、アース線１１０を挿入しなければ電源電線１２０を挿入することができず、アース線１１０と電源電線１２０との挿入の順番を規制することができる。
【００２６】
図４は、端子台装置２００の初期状態において、上方から端子台装置２００を見た場合の模式図である。
図４に示すように、端子台装置２００の初期状態、つまり、端子台カバー１０が初期位置にある状態では、カバー側アース線挿入孔３０は端子台側アース線挿入孔８０と少なくとも一部が重なる位置に形成される。そして、カバー側電線挿入孔２０は端子台側電線挿入孔７０とは重ならない位置に形成される。
【００２７】
図４に示すように、カバー側アース線挿入孔３０は、端子台側アース線挿入孔８０よりＴ２方向にずれた位置であり、かつ、一部（Ｐ１部分）が端子台側アース線挿入孔８０と重なる位置に形成される。
カバー側電線挿入孔２０は、端子台側電線挿入孔７０よりＴ２方向側にずれた位置であり、かつ、端子台側電線挿入孔７０とは重ならない位置に形成される。
【００２８】
カバー側解除孔４０は、端子台側解除孔９０よりＴ２方向にずれた位置であり、できるだけ端子台側解除孔９０とは重ならない位置に形成される。ただし、カバー側解除孔４０と端子台側解除孔９０とは重なりがあっても構わない。
【００２９】
図４に示すように、カバー側解除孔４０は、２つの端子台側電線挿入孔７０のうちのＴ１側の端子台側電線挿入孔７０と少なくとも一部が重なる可能性がある。しかし、カバー側解除孔４０あるいは端子台側解除孔９０は、２組の一対のカバー側電線挿入孔２０よりも、少し内側にずれた位置に形成されているので、カバー側解除孔４０と端子台側電線挿入孔７０が重なって、誤って端子台側電線挿入孔７０に電線を挿入することができない程度の重なりとなる。
【００３０】
図３に示すように、端子台装置２００の初期状態において、まずアース線１１０をカバー側アース線挿入孔３０のカバー側アース線挿入孔３０と端子台側アース線挿入孔８０とが重なっている部分（Ｐ１部分）に挿入していく。
アース線１１０は、被膜１１２と被膜を取り除いた部分の露出芯線１１１とから構成される。また、被膜１１２の露出芯線１１１側の端部を被膜肩部１１３とする。作業者は、被膜１１２の部分を手に持ち、露出芯線１１１の先端部からカバー側アース線挿入孔３０に挿入していく。
図３に示すように、露出芯線１１１の径よりも、被膜１１２部分の径の方が大きい。
【００３１】
図５は、本実施の形態に係る端子台装置２００にアース線１１０を挿入する前段階のＡ−Ａ断面図（図２、図３参照）である。図６は、本実施の形態に係る端子台装置２００にアース線１１０を挿入した直後から挿入中のＡ−Ａ断面図である。図７は、本実施の形態に係る端子台装置２００にアース線１１０を挿入完了直前のＢ−Ｂ断面図（図２、図３参照）である。図８は、本実施の形態に係る端子台装置２００にアース線１１０を挿入完了した状態の図であり、（ａ）はＢ−Ｂ断面図、（ｂ）は斜視図である。
【００３２】
図５は、初期状態の端子台装置２００とアース線１１０とのＡ−Ａ断面図である。図５に示すように、端子台カバー１０が初期位置にある場合、Ｐ１部分がカバー側アース線挿入孔３０と端子台側アース線挿入孔８０とが重なっている部分である。カバー側電線挿入孔２０と端子台側電線挿入孔７０とは重なっていない。
この状態でアース線１１０はＰ１部分に挿入される。
【００３３】
端子台装置２００において端子台カバー１０が初期位置（所定の位置）にあり、アース線１１０がカバー側アース線挿入孔３０と端子台側アース線挿入孔８０とが重なる部分（Ｐ１部分）に挿入される。すると、端子台カバー１０はアース線１１０の挿入にともなって端子台上面部６１と（孔形成面）と対向しながらＴ１方向にスライドする。挿入されたアース線が端子台６０内部の速結端子に接続されると、端子台カバー１０はスライドを完了し、カバー側電線挿入孔２０の少なくとも一部が端子台側電線挿入孔７０の少なくとも一部と重なる状態となる。
【００３４】
端子台カバー１０は、カバー側アース線挿入孔３０の周縁のうち、初期位置にある場合に端子台側アース線挿入孔８０と重なる部分の周縁に、アース線１１０の先端の挿入方向を案内する傾斜部３１を備える。
図４に示すように、端子台側アース線挿入孔８０は略円形であるのに対し、カバー側アース線挿入孔３０は四角形である。カバー側アース線挿入孔３０は、４つの周縁のうち、Ｔ１側の周縁に傾斜部３１を備える。端子台側アース線挿入孔８０は、４角形に限らず、円形、多角形等他の形状でも構わない。カバー側アース線挿入孔３０は、初期位置にある場合に端子台側アース線挿入孔８０と重なる部分の周縁に傾斜部３１を形成することができれば、どのような形状でも構わない。
【００３５】
図５に示すように、Ｐ１部分には露出芯線１１１を挿入することができるスペースはない。しかし、露出芯線１１１の先端部をカバー側アース線挿入孔３０の傾斜部３１に押し付けることにより、端子台カバー１０はＴ１方向にスライドする。このようにして徐々にカバー側アース線挿入孔３０と端子台側アース線挿入孔８０との重なり部分が広くなり、露出芯線１１１の先端部が挿入できる大きさまで広がる。
【００３６】
次に、図６に示すように、アース線１１０の露出芯線１１１の先端部が端子台装置２００に挿入される。端子台側アース線挿入孔８０の内部形状は、図６に示すように先端が細くなるように孔内部傾斜部８１が形成されている。この孔内部傾斜部８１に露出芯線１１１の先端部が達すると、孔内部傾斜部８１の傾斜に沿って露出芯線１１１の先端部は、端子台側アース線挿入孔８０の中央部に移動していく。
【００３７】
このように露出芯線１１１が端子台側アース線挿入孔８０の中央部に移動することにより、カバー側アース線挿入孔３０の縁部はさらにＴ１方向に押され、端子台カバー１０はさらにＴ１方向に移動する。
【００３８】
図６において、点線で示した部分は露出芯線１１１が端子台側アース線挿入孔８０の中央まで移動し、速結端子に接続される位置を示している。
図６に示すように、端子台カバー１０が徐々にＴ１方向に移動することにより、端子台側電線挿入孔７０とカバー側電線挿入孔２０も重なり始める。
【００３９】
図７は、アース線１１０の露出芯線１１１が速結端子に接続される直前を示している。図７に示すように、カバー側電線挿入孔２０と端子台側電線挿入孔７０とはほとんど重なっている状態である。カバー側電線挿入孔２０と端子台側電線挿入孔７０とが重なっている部分をＰ２部分、Ｐ３部分とする。また、カバー側解除孔４０と端子台側解除孔９０ともほとんど重なっている状態である。
このような状態で、作業者は、電源電線１２０を初めて挿入することができるようになる。
【００４０】
図７に示すように、電源電線１２０もアース線１１０と同様に、露出芯線１２１と被膜１２２とを備える。作業者は、例えば、被膜１２２部分を手に持ち、電源電線１２０の露出芯線１２１の先端部からカバー側電線挿入孔２０に挿入する。
【００４１】
また、図７に示すように、アース線１１０の被膜肩部１１３は、カバー側アース線挿入孔３０の傾斜部３１に到達した時から、端子台カバー１０をさらにＴ１方向に押圧する。
そして、図８（ａ）に示すように、被膜肩部１１３が端子台６０の端子台上面部６１に到達し、露出芯線１１１が端子台６０内部の速結端子に接続されると、カバー側電線挿入孔２０と端子台側電線挿入孔７０とが重なるとともに、カバー側解除孔４０と端子台側解除孔９０とが重なる。端子台側電線挿入孔７０の内部形状は、図７に示すように先端が細くなるように孔内部傾斜部７１が形成されている。
【００４２】
図８（ｂ）は、端子台装置２００に、アース線１１０と２本の電源電線１２０とが接続完了した状態の斜視図である。図３及び図５に示す端子台装置２００の初期状態と比較すると、図８（ａ）（ｂ）では端子台カバー１０が端子台６０に対して、Ｔ１方向に移動している。
【００４３】
また、図９は、端子台装置２００にアース線１１０と２本の電源電線１２０とが接続完了した状態の端子台カバー１０と端子台上面部６１との位置関係を示した模式図である。図９は、図４に対応する図である。
図９に示すように、アース線１１０をカバー側アース線挿入孔３０を介して端子台側アース線挿入孔８０に挿入することにより、アース線１１０がカバー側アース線挿入孔３０の縁部を押圧し、Ｔ１方向に端子台カバー１０を移動させる。そして、アース線１１０が完全に速結端子に接続された状態で、カバー側電線挿入孔２０と端子台側電線挿入孔７０とが重なり、電源電線１２０を挿入できる状態となる。
【００４４】
このように、本実施の形態に係る端子台装置２００によれば、アース線１１０を完全に速結端子に接続した後でなければ、電源電線１２０を端子台側電線挿入孔７０に挿入することができない。
【００４５】
以上のように、本実施の形態に係る端子台カバー１０は、電源電線用挿入孔と、アース線挿入孔と、前記電源電線及びアース線挿入孔の近くに電源電線及びアース線を取り外すための機構（端子台側解除孔９０）とを有する端子台を覆うように装着される。また、端子台カバー１０は、端子台の電源電線挿入孔と重ならない位置に配置された電源電線挿入孔と、前記アース線挿入孔と重なる位置に配置されたアース線挿入孔と、前記端子台に引っかけることのできる突起とを有する。端子台カバー１０の端子台側アース線挿入孔には斜め状の加工がされており、アース線挿入孔にアース線が挿入されることで、アース線挿入方向に対して垂直な方向に移動し前記端子台の電源電線挿入孔と前記端子台カバーの電源電線挿入孔が重なる。
【００４６】
本実施の形態に係る端子台カバー１０を端子台６０に装着することにより、アース線１１０を完全に接続した後でなければ、電源電線１２０を端子台６０に挿入することができないので、誤挿入を防止することができる。
本発明は、アース線を端子台に挿入することで端子台カバーが移動して、端子台カバーの電源電線挿入孔と端子台の電源電線挿入孔が重なることで電源電線を接続することができるため、感電の予防が可能である。
【００４７】
上述したように、端子台上面部６１の形状は、長方形の一部分（点線のＲ１部分）が切り取られた形状であるが、Ｒ１部分が切り取られていない長方形の形状でも構わない。
また、端子台上面部６１の形状は、略長方形でなくともよく、対向する側面を有し、端子台カバー１０をＴ１−Ｔ２方向にスライド移動可能に取り付けることができる形状であれば、どのような形状でも構わない。
【００４８】
なお、内線規程３２２０−１１において、管灯回路の使用電圧が対地電圧１５０Ｖ以下のものを乾燥した場所に施設する場合以外は、照明器具に接地工事を施す旨の規程がある。
また、内線規程に規定されている接地工事を施さなくても照明器具を点灯させることは可能である。
【００４９】
実施の形態２．
本実施の形態では、実施の形態１とは異なる構成の端子台カバー１３０について説明する。実施の形態１で説明した端子台カバー１０の構成と同様の機能を有する構成には同一の符号を付し、その説明を省略する場合もある。
【００５０】
図１０は、本実施の形態に係る端子台カバー１３０の斜視図である。図１１は、本実施の形態に係る端子台カバー１３０の分解斜視図である。図１０及び図１１を用いて、本実施の形態に係る端子台カバー１３０の全体構成について説明する。
【００５１】
端子台カバー１３０は、カバー部１４０（カバー面）と取付補助具１５０（支持具）とから構成される。カバー部１４０は、取付補助具１５０の内部に配置される。
【００５２】
カバー部１４０は、樹脂製の平板状である。カバー部１４０は、実施の形態１で説明した端子台カバー１０の上面部１１に対応する構成である。カバー部１４０は、カバー側電線挿入孔２０、カバー側アース線挿入孔３０、カバー側解除孔４０を備える。カバー側電線挿入孔２０、カバー側アース線挿入孔３０、カバー側解除孔４０の機能は、実施の形態１で説明したものと同様である。
【００５３】
取付補助具１５０は、樹脂製の略箱状である。取付補助具１５０の上面１５１には、カバー側電線挿入孔２０、カバー側アース線挿入孔３０、カバー側解除孔４０を露出させるための開口部１５４が形成されている。
取付補助具１５０の上面１５１に対応する下面１５６は開放されている。
【００５４】
カバー部１４０が移動する方向（Ｔ１方向）の側面１５７には、カバー部１４０を挿入可能なスリット部１９０が形成されている。
また、取付補助具１５０の内部には、内部に挿入されたカバー部１４０をＴ１−Ｔ２方向にスライド移動可能に支持するための支持部１５５が設けられている。
【００５５】
実施の形態１の図２で説明したように、端子台上面部６１の形状は、長方形の一部分が切り取られた形状であるため、取付補助具１５０の形状も長方形の一部分が切り取られた形状となっている。しかし、上述したように、端子台上面部６１の形状に合わせて、適宜形状を変更することは可能である。
【００５６】
本実施の形態では、取付補助具１５０自体は移動しない。移動するのはカバー部１４０のみである。したがって、取付補助具１５０は、移動しないように端子台６０に固定されている。
例えば、取付補助具１５０は、端子台上面部６１の出っ張り部６４（図２参照）の形状に合わせて設けられた補助具出っ張り部１５８に、端子台６０のガイド用溝部６３に引っ掛ける引っ掛け部１５３が形成されている。
この引っ掛け部１５３は、Ｔ１−Ｔ２方向に直交する方向に弾力性を有するように形成され、ガイド用溝部６３に引っ掛けられ取付補助具１５０を端子台６０に固定するとしてもよい。
あるいは、例えば、端子台６０のガイド用溝部６３に、引っ掛け部１５３が移動しないように引っ掛け部１５３を固定する突起等の固定部を設けてもよい。
【００５７】
あるいは、端子台６０にガイド用溝部６３が形成されていなくても、端子台６０に取付補助具１５０が固定できるような構造を備えていてもよい。
例えば、引っ掛け部１５３がＴ１−Ｔ２方向に直交する方向（内側）に弾力性を有するように形成され、引っ掛け部１５３に向かい合うように対向する側面１５２にも内側に弾力性を有する引っ掛け部を設ける。このように、向かい合う引っ掛け部同士の弾性力により、端子台６０を挟み込んで固定するとしてもよい。
このような構成によれば、端子台６０がガイド用溝部６３等を備えていなくても、取付補助具１５０を端子台に固定することができるので、様々な形状の端子台に対して端子台カバー１３０を取り付けることができる。つまり、端子台カバー１３０には、向かい合う引っ掛け部同士の弾性力があるので、端子台上面部６１の形状は様々な形状であっても対応することができる。
【００５８】
図１１は、カバー部１４０を取付補助具１５０に挿入し、端子台カバー１３０を形成した状態を示している。カバー部１４０は、取付補助具１５０の内部をＴ１−Ｔ２方向（水平方向）に移動することができる。
【００５９】
図１２は、本実施の形態に係る端子台カバー１３０を端子台６０に取り付けた状態を示した図である。
上述したように、取付補助具１５０は端子台６０に対して固定されていて移動はしない。カバー部１４０は、端子台上面部６１と当接あるいは近接しながら（すなわち、対向しながら）、Ｔ１方向に移動することができる。
このように、本実施の形態に係る端子台カバー１３０を端子台６０に取り付けた状態を端子台装置２０１とする。
【００６０】
図１３は、本実施の形態に係る端子台装置２０１の斜視図であり、（ａ）はアース線１１０の挿入途中を示す図、（ｂ）はアース線１１０の挿入が完了する直前を示す図、（ｃ）はアース線１１０及び電源電線１２０が挿入完了した図である。図１３（ａ）から図１３（ｃ）にかけて、カバー部１４０は徐々にＴ１方向へ移動している状態を示している。
【００６１】
図１３（ａ）の状態におけるカバー部１４０と端子台６０との位置関係は、実施の形態１で説明した図６の状態と同様であるので説明を省略する。
このとき、Ｔ１−Ｔ２方向に２つ並んだカバー側電線挿入孔２０のうちのＴ２側のカバー側電線挿入孔２０は、取付補助具１５０の開口部１５４の周縁部１５４ａにより一部が覆われている。
これにより、電源電線１２０は、まだ挿入する状態でないことがより明らかとなり、作業者への注意喚起となる。
【００６２】
図１３（ｂ）の状態におけるカバー部１４０と端子台６０との位置関係は、実施の形態１で説明した図７の状態と同様であるので説明を省略する。
このとき、Ｔ１−Ｔ２方向に２つ並んだカバー側電線挿入孔２０のうちのＴ２側のカバー側電線挿入孔２０は、まだ、取付補助具１５０の開口部１５４の周縁部１５４ａにより一部が覆われている。
これにより、電源電線１２０は、挿入する状態でないことが明らかとなり、作業者への注意喚起となる。
【００６３】
図１３（ｃ）の状態におけるカバー部１４０と端子台６０との位置関係は、実施の形態１で説明した図８（ａ）（ｂ）の状態と同様であるので説明を省略する。
このとき、アース線１１０は速結端子への連結が完了している。Ｔ１−Ｔ２方向に２つ並んだカバー側電線挿入孔２０のうちのＴ２側のカバー側電線挿入孔２０は、取付補助具１５０の開口部１５４に全体が露出し、電源電線１２０を挿入することができる状態となる。
これにより、電源電線１２０は、挿入してもよい状態であることが明らかとなり、作業者の作業性も向上する。
【００６４】
以上のように、本実施の形態に係る端子台装置２０１は、電源電線用挿入孔と、アース線挿入孔と、前記電源電線及びアース線挿入孔の近くに電源電線及びアース線を取り外すための機構とを有する端子台を覆うように装着される端子台カバー１３０を備える。端子台カバー１３０は、カバー部１４０と、取付補助具１５０とを備える。カバー部１４０は、初期位置に置いて、端子台の電源電線挿入孔と重ならない位置に配置された電源電線挿入孔と、前記アース線挿入孔と重なる位置に配置されたアース線挿入孔とを備える。また、取付補助具１５０は、端子台上面部６１に端子台カバーを移動可能に保持するための部材である。アース線挿入孔には斜め状の加工がされており、アース線挿入孔にアース線が挿入されることで、前記取付補助具に沿ってアース線挿入方向に対して垂直な方向に移動し前記端子台の電源電線挿入孔と前記端子台カバーの電源電線挿入孔が重なる。
【００６５】
本実施の形態に係る端子台カバーは、少なくとも２つ以上の部品からなり、各々が端子台６０に形成されている１対の電源電線挿入孔とアース線挿入孔の少なくとも一部を覆うことを特徴としている。
【００６６】
実施の形態３．
図１４は、本実施の形態に係る電源端子台カバー３００の斜視図である。図１５は、図１４の電源端子台カバー３００を裏側から見たときの正視図である。
【００６７】
電源端子台カバー３００は、長方形状のカバー部３１０（上面部）と、このカバー部３１０の短手方向の両端から略直角に折り曲げられて形成される２つの係止部３２０（側面部）とを有する。
【００６８】
カバー部３１０は、アース線が挿入されるカバー側アース線挿入部３１１と、電源電線が挿入される２つのカバー側電源電線挿入孔３１４と、他の照明器具へ電源電線を送るための送り電線が挿入される２つのカバー側送り電線挿入孔３１５とを有する。さらに、カバー部３１０は、電源電線及び送り電線が、後述する電源端子台４００に嵌合した状態を解除するためのカバー側解除穴３１６を有する。
【００６９】
カバー側アース線挿入部３１１は、アース線の先端が接触する傾斜面を有する第一スライド傾斜部３１２と、アース線が挿入されるカバー側アース線挿入孔３１３とからなる。
【００７０】
係止部３２０は、弾性体により形成される。係止部３２０は、弾性を有する係止支持片３２１と、この係止支持片３２１の先端からカバー部３１０側に突出する係止突出片３２２と、この係止突出片３２２が三角形状に切り欠かれた切欠部３２３とを有する（図１５参照）。
【００７１】
図１５に示すように、両側の係止突出片３２２のそれぞれに、２つの切欠部３２３が形成される。
切欠部３２３の縁部には、スライド方向であるＴ１方向側からＴ２方向側に向かって徐々に溝の外側方向への切り欠きの深さが浅くなる縁傾斜部３２３ａを有する。
【００７２】
図１６は、本実施の形態に係る電源端子台４００の斜視図である。図１７は、図１６の電源端子台４００のＡ−Ａ断面を示す断面図である。
【００７３】
電源端子台４００は、略直方体形状の電源端子台本体４１０を備える。電源端子台本体４１０は、端子台上面部４６１と、端子台上面部４６１の短手方向の両端部から端子台上面部４６１に対してほぼ直角に形成された２つの端子台側面部４６２とを備える。
【００７４】
電源端子台４００は、端子台上面部４６１（電源端子台４００の一面）に形成される２つのアース線挿入孔４１１と、アース線挿入孔４１１と同一面に形成され、電源電線が挿入される電源電線挿入孔４１２と、電源電線挿入孔４１２と同一面に形成され、送り電線が挿入される送り電線挿入孔４１３とを備える。
また、電源端子台４００は、アース線挿入孔４１１に挿入されるアース線の嵌合を解除するアース線解除穴４１５と、電源電線挿入孔４１２及び送り電線挿入孔４１３に挿入される電源電線ならびに送り電線の嵌合を解除する２つの電線解除穴４１４とを端子台上面部４６１に備える。
【００７５】
電源端子台４００は、アース線挿入孔４１１を備える面（すなわち、端子台上面部４６１）とは異なる面に形成され、照明器具などの内部配線が挿入される内部配線孔４１６と、照明器具などに固定される係止爪４１７と、照明器具などに固定されるネジが挿入されるネジ穴４１８とを備える。
図１６に示すように、本実施の形態では、両側の端子台側面部４６２のうちの一方の端子台側面部４６２に、内部配線孔４１６と係止爪４１７とネジ穴４１８とを備える。
【００７６】
電源端子台４００は、短手方向の両端部（Ｔ１−Ｔ２方向の両側）の端子台側面部４６２であって対向する２つの端子台側面部４６２に、電源端子台カバー３００の係止突出片３２２が挿入される２つのスライド溝４１９を備える。
図１７に示すように、２つのスライド溝４１９のそれぞれには、凸部４２０が２つ形成される。凸部４２０は、上述した電源端子台カバー３００の切欠部３２３に対応する位置に形成される（図１５参照）。
凸部４２０は、スライド溝４１９の溝底面から溝の外側方向に突起している。
【００７７】
図１８は、図１６の電源端子台４００に図１４の電源端子台カバー３００を装着した状態を示す斜視図である。図１９は、アース線取り付け前とアース線取り付け後の電源端子台４００と電源端子台カバー３００との取り付け状態を示す模式図であり、（ａ）はアース線取り付け前の状態、（ｂ）はアース線取り付け後の状態を示す図である。
【００７８】
図１８に示すように、電源端子台カバー３００は、カバー部３１０により電源端子台４００の端子台上面部４６１を覆うように取り付けられる。電源端子台カバー３００は、電源端子台４００の両側のスライド溝４１９に係止突出片３２２が嵌って、端子台上面部４６１をＴ１−Ｔ２方向にスライド自在に取り付けられる。
【００７９】
図１９（ａ）に示すように、係止部３２０（カバー側面）の係止突出片３２２（スライド突出片）は、スライド溝４１９と係合し、係止突出片３２２の先端部（図１９（ａ）参照）がスライド溝４１９の溝底部と対向しながらスライド溝４１９をスライドする。
また、切欠部３２３は、係止突出片３２２の先端部の一部が溝の外側方向に切り欠かれて形成される。
【００８０】
また、図１９（ａ）に示すように、アース線を電源端子台４００に挿入する前（電源端子台カバー３００が所定の位置にある場合）は、凸部４２０が切欠部３２３に嵌まり込んだ状態となり、係止支持片３２１は弾性変形をしていない。このとき、凸部４２０は、切欠部３２３のＴ１側端部であって、切り欠きの深さが一番深い箇所に嵌り込んでいる。
【００８１】
図１９（ａ）の状態から、電源端子台カバー３００をＴ１方向に移動させると、凸部４２０と切欠部３２３の縁傾斜部３２３ａとの当接箇所が、切欠部３２３のＴ１側からＴ２側へと移動する。切欠部３２３の縁傾斜部３２３ａは、Ｔ１側からＴ２側へと切り欠きの深さが徐々に浅くなるように形成されている。したがって、凸部４２０と縁傾斜部３２３ａとの当接箇所がＴ１側からＴ２側へと移動するにしたがって、凸部４２０が徐々に縁傾斜部３２３ａを外側に押し出していく。
係止支持片３２１は弾性力を有しているので、係止支持片３２１の端部である係止突出片３２２が外側に押し出されることにより、係止支持片３２１は外側方向へ撓むように弾性変形する。
【００８２】
図１９（ｂ）に示すように、凸部４２０と縁傾斜部３２３ａのＴ２側端部近傍とが当接した状態において、カバー側アース線挿入部３１１とアース線挿入孔４１１とが重なり、カバー側電源電線挿入孔３１４と電源電線挿入孔４１２とが重なり、カバー側送り電線挿入孔３１５と送り電線挿入孔４１３とが重なる。
したがって、凸部４２０と縁傾斜部３２３ａのＴ２側端部近傍とが当接し、係止支持片３２１が外側方向へ撓むように弾性変形した状態で、アース線、電源電線、送り電線が電源端子台４００に挿入可能となる。
【００８３】
以上のように、アース線を電源端子台４００に挿入したときは、電源端子台カバー３００はＴ１方向へ徐々にスライドするので、縁傾斜部３２３ａを凸部４２０が徐々にスライドし、係止支持片３２１は徐々に電源端子台カバー３００の外側方向へ撓むように弾性変形する。
【００８４】
次に、電源端子台４００に電源端子台カバー３００が取り付けられた状態で、アース線、電源電線、及び送り電線を着脱する過程について説明する。
【００８５】
まず、電源端子台４００にアース線、電源電線、及び送り電線を挿入していない状態のときは、電源端子台カバー３００によって、電源電線挿入孔４１２及び送り電線挿入孔４１３は塞がれており、２つのアース線挿入孔のうちのＴ２側のアース線挿入孔４１１が第一スライド傾斜部３１２によって半分以上塞がれ、残りの塞がれていない部分がカバー側アース線挿入孔３１３から見える状態となっている。アース線挿入孔４１１が第一スライド傾斜部３１２によって塞がれる部分の大きさは、約半分でもよいし、半分以下でもよいし、図１９（ａ）に示すように半分以上でもよい。
【００８６】
したがって、この状態のとき、電源電線及び送り電線を電源端子台４００に挿入することができない。
また、この状態のとき、電源端子台カバー３００の切欠部３２３には、電源端子台４００の凸部４２０が嵌まりこんだ状態となっている（図１９（ａ）参照）。
【００８７】
次に、アース線を電源端子台４００のアース線挿入孔４１１に挿入するとき、アース電線の先端が、第一スライド傾斜部３１２の傾斜面に接触させる。アース線により第一スライド傾斜部３１２の傾斜面を下方に押圧すると、第一スライド傾斜部３１２がスライドする方向に電源端子台カバー３００がスライドする。
このように、アース電線を押し込むと、この第一スライド傾斜部３１２の傾斜面によって、電源端子台カバー３００がＴ１方向にスライドし、アース線挿入孔４１１の全体がカバー側アース線挿入孔３１３から見える状態になる。つまり、アース線挿入孔４１１と、カバー側アース線挿入孔３１３とが重なる部分が拡がり、アース線を電源端子台４００のアース線挿入孔４１１に挿入することができるようになる。
【００８８】
上述のように、電源端子台カバー３００がＴ１方向にスライドするので、電源電線挿入孔４１２、送り電線挿入孔４１３は、それぞれ、カバー側電源電線挿入孔３１４、カバー側送り電線挿入孔３１５から見える状態となる。つまり、電源電線を電源電線挿入孔４１２へ挿入できるとともに、送り電線を送り電線挿入孔４１３へ挿入できる状態（図１９（ｂ）の状態）となる。
【００８９】
よって、アース線をアース線挿入孔４１１に挿入した後、電源電線及び送り電線をそれぞれ電源電線挿入孔４１２、送り電線挿入孔４１３に挿入し、配線作業は終了する。
【００９０】
このように、アース線をアース線挿入孔４１１に挿入した後でないと、電源電線及び送り電線を電源端子台４００に挿入できないので、電源端子台４００にアース線を挿入し忘れることがない。
【００９１】
次に、電源端子台４００に接続されたアース線をアース線挿入孔４１１から抜いた場合について説明する。アース線を抜く場合は、電源電線及び送り電線は既に抜かれているものとする。
アース線挿入孔４１１からアース線が抜かれると、係止突出片３２２の弾性変形による復元力で縁傾斜部３２３ａが凸部４２０（突起部）をスライド溝４１９の内側方向に押圧する。これにより、電源端子台カバー３００は、Ｔ２方向にスライドし、アース線を電源端子台４００に挿入する前の位置（所定の位置）に戻る。
【００９２】
以下に詳しく説明する。
電源端子台４００にアース線を挿入した状態では、電源端子台カバー３００が電源端子台４００をＴ１方向にスライドし、切欠部３２３の縁傾斜部３２３ａが凸部４２０をＴ１方向にスライドするので、係止支持片３２１が外側に弾性変形する。このとき、係止支持片３２１の弾性変形による復元力により、凸部４２０に対して凸部４２０を内側に押す押力が働く。この係止支持片３２１の押力により、電源端子台カバー３００には、スライド方向とは逆方向（Ｔ２方向）へ戻ろうとする力が発生する。
【００９３】
そのため、電源電線、送り電線及びアース線を電源端子台から外すと、係止支持片３２１の弾性力（電源端子台カバー３００をスライド方向（Ｔ１方向）とは逆の方向（Ｔ２方向）へ戻す力）によって、電源端子台カバー３００はＴ２方向にスライドし、電源端子台４００に対して初期の状態（図１９（ａ））の状態に戻り、アース線挿入孔４１１は、第一スライド傾斜部３１２によって少なくとも一部（例えば、半分以上）が塞がれた状態となる。
【００９４】
以上のように、本実施の形態に係る電源端子台４００は、側面に電源端子台カバー３００をスライドさせるスライド溝４１９と、スライド溝４１９内の側面の凸部４２０（突起）とを有する。また、本実施の形態に係る電源端子台カバー３００は、電源端子台４００のスライド溝４１９内にまで伸びる係止突出片３２２（スライド突出片）と、係止突出片３２２に設けた切欠部３２３であって、スライド溝４１９奥側で広がるように縁傾斜部３２３ａを有する切欠部３２３とを有する。
そして、アース線がカバー側アース線挿入孔３１３（スライド穴）からアース線挿入孔４１１に挿入されたとき、電源端子台カバー３００がスライドして、凸部４２０は縁傾斜部３２３ａのスライド溝４１９奥側で接し、図１９（ｂ）に示す状態となる。
アース線がアース線挿入孔４１１から抜き出されたとき、電源端子台カバー３００がスライド方向とは反対側にスライドして、凸部４２０は縁傾斜部３２３ａのスライド溝４１９奥側と反対側で接し、図１９（ａ）に示す状態に戻る。
【００９５】
したがって、一度設置した照明器具などを取り外し、再度照明器具を設置する場合も、アース線を電源端子台４００に挿入した後でないと、電源電線、送り電線を挿入できない状態とすることができ、アース線の挿入忘れを防止することができる。
【００９６】
以上、本発明の実施の形態について説明したが、これらの実施の形態の２つを組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００９７】
１０  端子台カバー、１０ａ  端部、１１  上面部、１２  側面部、１３  突起部、２０  カバー側電線挿入孔、３０  カバー側アース線挿入孔、３１  傾斜部、４０  カバー側解除孔、６０  端子台、６１  端子台上面部、６２  端子台側面部、６３  ガイド用溝部、６４  出っ張り部、７０  端子台側電線挿入孔、７１  孔内部傾斜部、８０  端子台側アース線挿入孔、８１  孔内部傾斜部、９０  端子台側解除孔、１１０  アース線、１１１  露出芯線、１１２  被膜、１１３，１２３  被膜肩部、１２０  電源電線、１２１  露出芯線、１２２  被膜、１３０  端子台カバー、１４０  カバー部、１５０  取付補助具、１５１  上面、１５２  側面、１５３  引っ掛け部、１５４  開口部、１５５  支持部、１５６  下面、１５７  側面、１５８  補助具出っ張り部、１９０  スリット部、２００，２０１  端子台装置、３００  電源端子台カバー、３１０  カバー部、３１１  カバー側アース線挿入部、３１２  第一スライド傾斜部、３１３  カバー側アース線挿入孔、３１４  カバー側電源電線挿入孔、３１５  カバー側送り電線挿入孔、３１６  カバー側解除穴、３２０  係止部、３２１  係止支持片、３２２  係止突出片、３２３  切欠部、３２３ａ  縁傾斜部、４００  電源端子台、４１０  電源端子台本体、４１１  アース線挿入孔、４１２  電源電線挿入孔、４１３  送り電線挿入孔、４１４  電線解除穴、４１５  アース線解除穴、４１６  内部配線孔、４１７  係止爪、４１８  ネジ穴、４１９  スライド溝、４２０  凸部、４６１  端子台上面部、４６２  端子台側面部。
【図１】
2014130791.tif 000003
【図２】
2014130791.tif 000004
【図３】
2014130791.tif 000005
【図４】
2014130791.tif 000006
【図５】
2014130791.tif 000007
【図６】
2014130791.tif 000008
【図７】
2014130791.tif 000009
【図８】
2014130791.tif 000010
【図９】
2014130791.tif 000011
【図１０】
2014130791.tif 000012
【図１１】
2014130791.tif 000013
【図１２】
2014130791.tif 000014
【図１３】
2014130791.tif 000015
【図１４】
2014130791.tif 000016
【図１５】
2014130791.tif 000017
【図１６】
2014130791.tif 000018
【図１７】
2014130791.tif 000019
【図１８】
2014130791.tif 000020
【図１９】
2014130791.tif 000021